(57)【特許請求の範囲】
【請求項１】
魚釣用リールの取付脚部を載置するリール脚載置部と、このリール脚載置部の一端側で取付脚部の一端を受ける開口を他端側に向けて開口させた固定フードとを有するシート本体を竿管に固定し、この固定フードに対向する開口を有する移動フードを固定フードに向けて移動することにより、取付脚部の両端部を固定フードと移動フードとのそれぞれの開口に収容した状態でリール脚載置部上に締付け、固定する釣竿であって、
前記シート本体は、透明性のある合成樹脂で形成され、前記リール脚載置部に対向する側の外周部に、前記リール脚載置部の表面よりも光の透過量が少なく形成された装飾面を有し、この装飾面を、リール脚載置部側から視認可能としたことを特徴とする釣竿。
【請求項２】
前記装飾層は、明度を高くした明色あるいは光輝性のある着色層で形成された内側層と、黒色等の光の透過量を少なくする着色層で形成された外側層とを有する請求項１に記載の釣竿。
【発明の詳細な説明】
【０００１】
【発明の属する技術分野】
本発明は釣竿に関し、特に、少なくとも１つの竿管部品を竿管に装着した釣竿に関する。
【０００２】
【従来の技術及びその課題】
一般に、釣竿には種々の竿管部品を設けたものが知られている。
例えば特開平９−２７５８５８号公報には、着色や模様を形成した筒体の外周面に透光性を有する筒状部材を備えた釣竿用グリップが記載されている。この釣竿用グリップは、筒体表面の模様等を外部から視認することができ、優れた外観を形成する。
しかし、この釣竿用グリップは、内部に配置した筒体の外周面を外部から視認できるだけであるため、透光性を有する筒状部材の質感あるいは肉厚感を形成することができない。このため、釣竿用グリップの実際の大きさあるいは強度とは異なるイメージを形成し、操作性に影響を与える。
【０００３】
本発明は、このような事情に基づいてなされたもので、その質感あるいは肉厚感を直ちに認識可能な透明状部を有する竿管部品により、操作性およびデザイン上の自由度を向上させた釣竿を提供することを目的とする。
【０００４】
【課題を解決するための手段】
上記目的を達成する本発明の釣竿は、魚釣用リールの取付脚部を載置するリール脚載置部と、このリール脚載置部の一端側で取付脚部の一端を受ける開口を他端側に向けて開口させた固定フードとを有するシート本体を竿管に固定し、この固定フードに対向する開口を有する移動フードを固定フードに向けて移動することにより、取付脚部の両端部を固定フードと移動フードとのそれぞれの開口に収容した状態でリール脚載置部上に締付け、固定する釣竿であって、前記シート本体は、透明性のある合成樹脂で形成され、前記リール脚載置部に対向する側の外周部に、前記リール脚載置部の表面よりも光の透過量が少なく形成された装飾面を有し、この装飾面を、リール脚載置部側から視認可能としたことを特徴とする。
【０００５】
【発明の実施の形態】
図１から図７は、本発明の好ましい実施形態による釣竿１０を示す。
図１から図４に示すように、本実施形態の釣竿１０は、手元側の元竿を形成する繊維強化樹脂製であるのが好ましい竿管１２と、この竿管の竿尻部に取付けられたハンドル部１４とを備え、このハンドル部１４には、図示しない魚釣用リールを取付けるシート本体１６が後述するように外部から視認可能な透明状部を有する竿管部品として設けられている。
【０００６】
このシート本体１６は、後部すなわち竿尻側に後方握り部１８を一体的に形成される。また、シート本体１６の先端側外周には、ネジ部１６ａが形成され、このネジ部に螺合された移動フードを兼用する前方握り部２０が、このシート本体１６上を軸方向に沿って自在に移動することができる。これらのシート本体１６と後方握り部１８とは、例えば接着剤により、内部に挿通した竿管１２およびこの竿管１２に対して傾斜した接合面を介して相互に固着される。勿論、接着剤を用いることなく、例えば圧入等の好適な固着手段を採用することも可能である。
【０００７】
シート本体１６は、リールの取付脚部を載置するリール脚載置部２２をその中間部の一側に形成され、後端側には、取付脚部の後端部を受けてこれを係止させる開口２４を先端側に向けて開口させた固定フードを形成してある。また、前方握り部２０の後端側内周部は後端側に拡径する傾斜面状に形成され、シート本体１６の外周面との間に、魚釣用リールの取付脚部の先端部を導入するために竿尻側に開口する開口２６を、全周にわたって開口させている。これにより、シート本体１６のリール脚載置部２２にリールの取付脚部を載置し、上述の前方握り部２０を移動することにより、この取付脚部の両端部をそれぞれ開口２４，２６に収容した状態で、リール脚載置部２２上に締付け、強固に固定することができる。
【０００８】
更に、このシート本体１６の開口２４が形成された後端部の近部で、他側すなわちリール脚載置部２２の径方向反対側からトリガー２６が突出する。このトリガー２６の先端側の部位すなわちリール脚載置部２２と径方向に対向した部位は、リールの全体を手で握り込んで操作するパーミング操作を容易とするために図示の実施形態では湾曲凸部の前後に２つの凹部を形成し、また、開口２４およびトリガー２６の近部を、図２および図４に示すように側方に張出した幅広構造に形成してあり、シート本体１６の中間部をほぼ扁平構造に形成してある。
【０００９】
本実施形態では、シート本体１６は、例えばナイロン、ポリカーボネート、アクリルあるいはウレタン等の透明性のある合成樹脂で形成し、外部からこのシート本体１６の内部を視認可能な透明状部に形成してある。図２から図４に示す符号２８はこのような透明性ある合成樹脂中に混入させた空泡である。このような空泡２８は、シート本体１６の深みあるいは厚さを感得するために好ましいものである。このような空泡２８に代えあるいは空泡２８と共に適宜の粒状あるいは薄片状の細かい部材を混入することも可能である。もちろん、このような空泡２８あるいは細かい部材を、一部にのみ混入し、あるいは全く混入しなくてもよいことは明らかである。
【００１０】
また、このような透明状の竿管部品であるシート本体１６を形成する透明性のある合成樹脂材料は、内部を視認できるものであれば、無色透明に限らず、無彩色あるいは有彩色を含む有色透明であってもよい。更に、光を透過する割合が１００％に近いものだけでなく、例えば５０％程度の半透明状の合成樹脂材料で形成し、あるいは複数の部分に分けてそれぞれ異なる材料で形成することも可能である。
【００１１】
更に、このシート本体１６のトリガー２６側の外周部には、装飾面３０を形成してある。この装飾面３０は、透明性のある合成樹脂で形成されたシート本体１６の質感あるいは肉厚感を直ちに認識可能とするために、このシート本体１６の側縁部２８までトリガー２６側の外周部の全体にわたって形成するのが好ましい。これにより、リール脚載置部２２側から見たときに、シート本体１６の透明状材料を通してこの装飾面３０を視認するすることができ、シート本体１６の深みあるいは厚さを感得できる立体感のあるデザインとすることができる。シート本体１６は、透明状でありながら、実際の大きさあるいは強度に対応した外観イメージを形成する。この装飾面３０は、透明状のシート本体１６の立体感を形成できるものであれば、シート本体１６の外周部に一様に形成する必要はなく、好適なパターンあるいはあるいはデザインにしたがって形成することができる。
【００１２】
図５から図７は、このような装飾面３０を形成する種々の具体例を示す。
図５に示す装飾面３０は、内側層３４と外側層３６との２層構造を有し、シート本体１６に近接する内側層３４は明度を高くした明色あるいは光輝性ある着色層を例えば塗装により形成してあり、この内側層に文字、図形あるいは模様等の種々の装飾を形成することもできる。また、外側層３６は、例えば黒色等の光の透過量を少なくする着色層を塗装した隠蔽層としてある。これにより、シート本体１６の深みあるいは立体感を強調し、美観の面からも優れた外観を形成する。このような装飾面３０は、シート本体１６を通して例えばリール脚載置部２２側から視認できるものであれば、図示の２層構造に限らず、１層のみで形成してもよく、３層あるいはそれ以上の多層構造に形成することも可能である。
【００１３】
この外側層３６は、例えば粒子含有層、あるいは、ウレタン等のシート本体１６よりも摩擦抵抗の大きい材料の層として形成し、滑り止めとして作用をさせることもできる。このような滑り止めは、装飾面３０の全体に形成し、あるいは、例えば握り部等の必要個所にのみ形成することもできる。特に、握り部に滑り止めを形成することにより、握持性を向上させることができる。
【００１４】
図６は、装飾面３０をシート本体１６に直接形成したものである。この装飾面３０は、その全体あるいは一部に、リール脚載置部２２側から透過した光を乱反射させる微小凹凸３８を有する。この微小凹凸３８は、リール脚載置部２２側の表面よりも光の透過量を少なくすることができるものであれば、その凹凸の適宜の深さあるいは間隔は適宜のものでよく、機械的あるいは化学的処理方法等の適宜の手段を用いて形成することが可能である。この装飾層３０は、微小凹凸３８を介して光を透過可能であるため、シート本体１６の全体が明るい色調に形成される。また、このような微小凹凸３８は、滑り止めとしても作用させることができる。更に、明るい色調とするために、シート本体１６よりも光の透過量の少ない半透明の層で装飾層３０を形成してもよい。このような半透明の層は、微小凹凸３８の他にも、半透明の樹脂材料を用いても形成することもできる。更に、微小凹凸３８を形成する場合には、このような微小凹凸の外側層を形成しても良い。
【００１５】
更に、図７は、シート本体１６のリール脚載置部２２側とこれに対向するトリガー２６側とに、それぞれ部分的に装飾面３０を形成したものである。これらの装飾面３０の間には、シート本体１６の内部を視認可能な窓部４０が形成される。これらの装飾面３０および窓部４０は、シート本体１６の両側で互いにずれた状態に配置することが好ましい。リール脚載置部２２側から見た場合およびトリガー２６側から見た場合のいずれの場合も、その窓部４０を介して装飾面３０を視認することができ、更に深みが強調され、立体感があり、優れた美的外観を形成する。この場合における装飾面３０は、上述のような着色塗装と微小凹凸との一方あるいは双方を組合せて形成することができる。
【００１６】
図８から図１０は、竿管部品である釣糸ガイドを示す。
この釣糸ガイド４２は、特許請求の範囲に記載の発明には含まれないが、上述のシート本体１６と同様な透明性のある合成樹脂で形成したガイド本体４４を有する。このガイド本体４４は、一端側に、竿管を挿通する竿管嵌合孔４６を形成した竿管嵌合部を有し、この竿管嵌合孔４６の内周面には、竿管に対する回転を防止するための断面三角形状の凸部が周方向に沿って形成してあり、竿管の外周面に圧入あるいは接着により固定することができる。また、釣糸ガイド４２は、他端側に支持部を有し、釣糸を摺動自在に挿通するガイドリング４８が圧入あるいは接着により固定するための硬質材料製であるのが好ましいガイドリング４８を支える。ガイドリング４８は、圧入あるいは接着によりこの支持部に固定され、魚釣用リールから繰出されあるいは巻き込まれる図示しない釣糸を小さな摺動抵抗で案内する。
【００１７】
このようなガイド本体４４の一側には、上述の実施形態と同様な装飾面５０を形成してあり、他側から見たときに、透明状のガイド本体４４を通じてこの装飾面５０を視認することができる。これにより、ガイド本体４４の質感あるいは肉厚感を直ちに認識することができる。なお、必要な場合には、このように竿先側あるいは竿尻側の一側だけでなく、その側面部にも装飾面を形成することも可能である。
この釣糸ガイド４２においても、上述の実施形態と同様に、ガイド本体４４の深みあるいは厚さを感得できる立体感のあるデザインとすることができる。
【００１８】
なお、このような透明状部を有する竿管部品は、上述のようなシート本体１６およびガイド本体４４に限らず、グリップ、栓体あるいは止栓にも適用可能であり、更に、種々のリングあるいはプレート等の装飾部品にも適用することが可能である。また、装飾面は、透明状部を介して外部から視認可能であれば、図５から図７に示す種々の装飾面を適宜に組合せて形成することが可能なことも明らかである。
【００１９】
【発明の効果】
以上明らかなように、本発明によれば、透明性のある合成樹脂で形成されたシート本体が、リール脚載置部に対向する側の外周部に、リール脚載置部の表面よりも光の透過量が少なく形成された装飾面を有し、この装飾面を、リール脚載置部側から視認可能としたことにより、このシート本体の質感あるいは肉厚感を直ちに認識することができ、釣竿の操作性およびデザイン上の自由度を向上させることができる。
【図面の簡単な説明】
【図１】本発明の好ましい実施形態による釣竿の側面図。
【図２】図１の釣竿の平面図。
【図３】図１の釣竿の一部の縦断面図。
【図４】図３のＩＶ−ＩＶ線に沿う断面図。
【図５】竿管部品であるシート本体の装飾面の一例を示す拡大断面図。
【図６】装飾面の他の例を示す拡大断面図。
【図７】装飾面の更に他の例を示す拡大断面図。
【図８】竿管部品である釣糸ガイドの断面図。
【図９】図８の釣糸ガイドの正面図。
【図１０】図９のＸ−Ｘ線に沿う断面図。
【符号の説明】
１０…釣竿、１２…竿管、１６…シート本体、３０…装飾面。
【図１】
0004028247.tif 000002
【図２】
0004028247.tif 000003
【図３】
0004028247.tif 000004
【図４】
0004028247.tif 000005
【図５】
0004028247.tif 000006
【図６】
0004028247.tif 000007
【図７】
0004028247.tif 000008
【図８】
0004028247.tif 000009
【図９】
0004028247.tif 000010
【図１０】
0004028247.tif 000011